(57)【要約】【課題】  情報シートの特定のエリアに表示された情報を判別不能にして、例えば個人情報等の流出を防止する。【解決手段】  ２枚の紙葉１，２を剥離可能に接着して積層した情報シートにおいて。紙葉１の特定のエリアｅ内には、このエリアに表示した情報が判別不能になる程度に細分化した複数の紙片７を区画するための切断線６を形成し、この切断線７を分断する連結部８を設けるとともに、上記切断線で区画された紙片は、上記エリア外の紙葉及び隣接する紙片の少なくともいずれかと上記連結部を介して連結する。そして、上記紙葉間の接着力よりも上記連結部の連結力を強くし、上記２枚の紙葉を剥離したとき、上記各紙片がエリア外の紙葉と一体に剥離される構成にした。【選択図】  図２
2012040722.tif 000002
【特許請求の範囲】
【請求項１】
少なくとも２枚の紙葉を剥離可能に接着して積層した情報シートにおいて、
いずれかの紙葉の特定のエリア内には、このエリアに表示した情報が判別不能になる程度に細分化した複数の紙片を区画するための切断線を形成し、この切断線を分断する連結部を設けるとともに、上記切断線で区画された紙片は、上記エリア外の紙葉及び隣接する紙片の少なくともいずれかと上記連結部を介して連結し、上記紙葉間の接着力よりも上記連結部の連結力を強くし、上記２枚の紙葉を剥離したとき、上記各紙片がエリア外の紙葉と一体に剥離される構成にした情報シート。
【発明の詳細な説明】
【技術分野】
【０００１】
この発明は、例えば宛名などの個人情報を表示した部分を細かく分断できるようにして、その個人情報が不用意に外部に流出しないようにした情報シートに関する。
【背景技術】
【０００２】
この種の情報シートとして、例えば特許文献１に記載されたものが従来から知られている。この従来の情報シートは、例えば、情報表示シートを基材シートに剥離可能に接着するとともに、上記情報表示シートには、複数のループ上の切れ目を入れている。
【０００３】
そして、情報表示シートを基材シートからはがしたとき、情報表示シートのうち、上記ループ状の切れ目に囲われた部分と、その他の部分とが切れ目を境に分離されるようにしている。
つまり、記載シートから情報表示シートを剥がしたとき、情報表示シートに表示された情報が、切れ目で囲まれたループを単位に細かく分断されて判別不可能になるようにしている。
【先行技術文献】
【特許文献】
【０００４】
【特許文献１】特開２００１−３０５９６２号公報
【発明の概要】
【発明が解決しようとする課題】
【０００５】
上記従来の情報シートは、基材シートから情報表示シートをはがしたとき、その情報表示シートの一部が基材シート側に残るので、例えば、上記基材シート側に情報を表示できない。なぜなら、基材シート側に情報を表示すると、情報表示シートをはがしたときに、その一部が基材シート側に残るので、その残存部分で基材シート側の情報が判別できなくなるからである。
したがって、上記従来の情報シートは、情報表示シートと基材シートとの両方に情報を表示するものには使えないという問題があった。
この発明の目的は、互いにはり合わせる２枚のシートのはり合わせ面に情報を表示できる情報シートを提供することである。
【課題を解決するための手段】
【０００６】
この発明は、少なくとも２枚の紙葉を剥離可能に接着して積層した情報シートを前提にする。
上記の情報シートを前提にしつつ、この発明は、上記いずれかの紙葉の特定のエリア内に、このエリアに表示した情報が判別不能になる程度に細分化した複数の紙片を区画するための切断線を形成し、この切断線を分断する連結部を設けるとともに、上記切断線で区画された紙片は、上記エリア外の紙葉及び隣接する紙片の少なくともいずれかと上記連結部を介して連結し、上記紙葉間の接着力よりも上記連結部の連結力を強くし、上記２枚の紙葉を剥離したとき、上記各紙片がエリア外の紙葉と一体に剥離される構成にした点に特徴を有する。
【発明の効果】
【０００７】
この発明の情報シートによれば、特定のエリアを細かく分断することなく２枚の紙葉を剥離できるので、細かく分断可能にした上記特定のエリアの表裏それぞれに、必要な情報を表示できる。したがって、情報表示スペースを犠牲にして、情報を細かく分断するエリアを特別に設ける必要がなく、その分、情報表示スペースを実質的に拡大できる。
【０００８】
また、情報を細かく分断するために、分断すべき情報を表示するための特別なシートを必要としないので、その分、経済性に優れているとともに、その特別なシートを紙葉に貼り付けるための手間も要らなくなる。
しかも、当該紙葉の特定のエリア内に、宛名などの個人情報を表示しておけば、当該情報シートを廃棄するとき、その宛名部分を細かく分断できる。したがって、当該情報シートを破棄するときにも、上記個人情報が不用意に外部に流出したりしない。
【図面の簡単な説明】
【０００９】
【図１】図１は２枚の紙葉をはり合わせた状態の情報シートの正面図である。
【図２】図２は２枚の紙葉をはがして開いた状態を示す斜視図である。
【図３】図３は図１のIII―III線断面図である。
【図４】図４は特定のエリアの拡大図である。
【図５】図５は他の実施形態における特定のエリアを示す部分図である。
【発明を実施するための形態】
【００１０】
この実施形態の情報シートＳは、少なくとも２枚の紙葉１，２を連続させ、この連続紙に、例えば上記２枚の紙葉１，２単位で繰り返し印刷を施し、この印刷を施した連続紙に熱接着性フィルムからなる粘着層４，５を形成するとともに、上記２枚の紙葉１，２の境界部に折り線３を形成する。
そして、上記２枚の紙葉１，２を折り線３から折り返して、それら紙葉１，２を積層するとともに、この積層した２枚の紙葉１，２に熱を加えながら押圧する。このように熱を加えて押圧することによって、上記粘着層４，５を介して、２枚の紙葉１，２が剥離可能に接着される。
このようにして２枚の紙葉１，２を剥離可能に積層した状態で、この情報シートＳは、定型はがきとして郵送可能なサイズになるようにしている。
【００１１】
また、上記紙葉１には、郵送時に宛名を表示する特定のエリアｅを設けるとともに、このエリアｅ内には、多数の切断線６で細分化された紙片７が区画されている。しかも、これら紙片７は、上記エリアｅの外側における紙葉１及び互いに隣接する紙片の少なくともいずれかと連結部８を介して連結している。つまり、この連結部８は、上記切断線６の連続性を分断するようにして設けたものである。
【００１２】
ただし、上記切断線６と連結部８との長さの比率によっては、切断線６がミシン目になったり、長い線になったりするものである。
また、上記切断線６は、紙葉１を貫通してもよいし、紙葉１の厚さ方向に８分目程度切り込んだものでもよい。そして、紙葉１の厚さ方向に８分目程度切り込んだ場合には、紙葉１の厚さ方向に２分目程度残存したところが連結部８となる。
【００１３】
また、上記切断線６と連結部８との関係を拡大して示したのが図４である。
この図４からも明らかなように、上記切断線６は、原則的にはエリアｅの特定の縁から他の縁まで伸びているが、１本の切断線６が互い違いになりながら、エリアｅの縁上に縁上連結部８ａが間欠的に連続し、縁よりも内側に縁内連結部８ｂが間欠的に連続するとともに、上記各縁内連結部８ｂを介して各紙片７を連続させ、しかも、これら連結部８ａ、８ｂをエリアｅの縁に沿って集中的に設けている。
【００１４】
上記したように紙葉１，２の積層面に粘着層４，５を一様に形成してから、折り線３から折り返してそれら粘着層４，５を接着して積層するが、このときには、上記した紙片７にも粘着層４が形成されている。したがって、紙葉１，２の積層状態では、紙葉１に形成した上記各紙片７のそれぞれも、紙葉２に対して剥離可能に接着された状態を保つ。
【００１５】
そして、上記連結部８ａ，８ｂの連結力は、紙葉１，２を接着させる粘着層４，５の粘着力よりも強くしている。言い換えると、積層状態にある紙葉１，２を剥離したとき、上記エリアｅ内のすべての紙片７が連続状態を保ちつつ一方の紙葉１と一体化した状態で紙葉２から剥離されるようにしている。
【００１６】
このようにエリアｅ内の紙片７が連続状態を保って一方の紙葉１と一体化した状態で剥離されるので、このエリアｅの情報もバラバラに分断されることなく判読可能な状態を保つ。したがって、エリアｅの表裏いずれにも情報を表示することができる。
【００１７】
また、積層状態にある紙葉１，２を剥離した後に、上記特定のエリアｅの連結部８ａを人の手で分断すれば、そのエリアｅを紙葉１から切り取ることができるとともに、連結部８ｂを分断してエリアｅ内の各紙片７を、一枚の紙片を最小単位にしてそれらをバラバラに細かく分断することができる。
したがって、上記一枚の紙片の最小単位では、文字等の情報が判別できないようにしておけば、上記エリアｅに表示した宛名等の個人情報が不用意に流出したりしない。
【００１８】
なお、図５は他の実施形態を示すもので、この他の実施形態は、エリアｅ内にマス目上の切断線６を形成し、所定の箇所に連結部箇所に連結部８を形成したもので、その他は、上記図１〜図４の実施形態と同様である。つまり、上記連結部８の連結力を、粘着層４，５の接着力よりも強くして、積層状態にある紙葉１，２を剥離したとき、エリアｅ内の各紙片７が紙葉１と一体になって紙葉２からはがれるようにしている。
【００１９】
いずれにしても、上記各実施形態によれば、特定のエリアｅを細かく分断することなく２枚の紙葉１，２を剥離できるので、細かく分断可能にした上記特定のエリアｅの表裏それぞれに、必要な情報を表示できる。したがって、情報表示スペースを犠牲にして、情報を細かく分断するエリアを特別に設ける必要がなく、その分、情報表示スペースを実質的に拡大できる。
【００２０】
また、情報を細かく分断するために、分断すべき情報を表示するための特別なシートを必要としないので、その分、経済性に優れているとともに、その特別なシートを紙葉に貼り付けるための手間も省くことができる。
しかも、当該紙葉１の特定のエリアｅ内に、宛名などの個人情報を表示しておけば、当該情報シートを廃棄するとき、宛名を表示した上記エリアｅを細かく分断できる。したがって、当該情報シートを破棄するときにも、上記個人情報が不用意に外部に流出したりしない。
【産業上の利用可能性】
【００２１】
複数の紙葉を積層したはがきに最適である。
【符号の説明】
【００２２】
１      紙葉
２      紙葉
ｅ      エリア
６      切断線
７      紙片
８      連結部
【図１】
2012040722.tif 000003
【図２】
2012040722.tif 000004
【図３】
2012040722.tif 000005
【図４】
2012040722.tif 000006
【図５】
2012040722.tif 000007